(57)【要約】【課題】本考案は、包装材料、運送コスト及び保存スペースを減少させることができ、簡素な構造で着脱自在に組み立てたり取りはずしたりすることができ、組立後に全体強度及び搭載能力を向上させることができるように、各部材を単板状に取り外すことができる着脱可能な組立式コンピューターエンクロージャーを提供することを課題とする。【解決手段】本考案に係る着脱可能な組立式コンピューターエンクロージャーは、単板状底板１、単板状左側板２及び単板状右側板３を含む。単板状底板１の左右両側には単板状底板１から略垂直に突出する突出板１１が設けられる。単板状左側板２は、ボルトにより単板状底板１の左端の突出板１１に締め付けられて固定される。単板状右側板３は、単板状左側板２と対称であり、ボルトにより単板状底板１の右端の突出板１１に締め付けられて固定される。【選択図】図１
0003186514.tif 000002
【実用新案登録請求の範囲】
【請求項１】
単板状底板、単板状左側板及び単板状右側板を含み、
前記単板状底板の左右両側には前記単板状底板から略垂直に突出する突出板が設けられ、
前記単板状左側板は、ボルトにより前記単板状底板の左端の前記突出板に締め付けられて固定され、
前記単板状右側板は、前記単板状左側板と対称であり、ボルトにより前記単板状底板の右端の前記突出板に締め付けられて固定されることを特徴とする着脱可能な組立式コンピューターエンクロージャー。
【請求項２】
複数の前記突出板は、複数の位置決め柱をそれぞれ有し、
複数の前記位置決め柱は、前記単板状左側板及び前記単板状右側板にそれぞれ挿入されることによって、前記単板状左側板及び前記単板状右側板を複数の前記突出板に位置決めすることを特徴とする請求項１に記載の着脱可能な組立式コンピューターエンクロージャー。
【請求項３】
前記単板状底板と複数の前記突出板との間の曲折部位には、互いに間隔を置いて配列される複数の嵌合溝が設けられ、
前記単板状左側板及び前記単板状右側板には、複数の嵌合突出部が設けられ、
複数の前記嵌合突出部は、複数の前記嵌合溝に対応することを特徴とする請求項１に記載の着脱可能な組立式コンピューターエンクロージャー。
【請求項４】
単板状前側板及び単板状後側板を更に含み、
前記単板状前側板は、ボルトによって前記単板状底板の前端に締め付けられて固定されると共に、前記単板状左側板及び前記単板状右側板の間に位置し、
前記単板状後側板は、ボルトによって前記単板状底板の後端に締め付けられて固定されると共に、前記単板状左側板及び前記単板状右側板の間に位置することを特徴とする請求項１に記載の着脱可能な組立式コンピューターエンクロージャー。
【請求項５】
前記単板状左側板は、延伸左側板を更に含み、前記延伸左側板の頂端が前記単板状左側板に組み立てられると共に締め付けられて固定され、前記延伸左側板の底端が前記単板状底板の左側の前記突出板に締め付けられて固定され、
前記単板状右側板は、前記延伸左側板に対称である延伸右側板を更に含み、前記延伸右側板の頂端が前記単板状右側板に組み立てられると共に締め付けられて固定され、前記延伸右側板の底端が前記単板状底板の右側の前記突出板に締め付けられて固定されることを特徴とする請求項１に記載の着脱可能な組立式コンピューターエンクロージャー。
【請求項６】
前記単板状左側板と前記延伸左側板との組立部位には、大体逆Ｕ字形のスライド溝を有し、前記延伸左側板における頂端に隣接する箇所の一側には、前記スライド溝の内壁に摺動可能に嵌合する位置決め突出条部を有することを特徴とする請求項５に記載の着脱可能な組立式コンピューターエンクロージャー。
【請求項７】
前記単板状左側板と前記延伸左側板との組立部位には、大体逆Ｕ字形のスライド溝を有し、前記延伸左側板における頂端に隣接する箇所の両側にはそれぞれ、前記スライド溝の内壁に摺動可能に嵌合する位置決め突出条部を有することを特徴とする請求項５に記載の着脱可能な組立式コンピューターエンクロージャー。
【請求項８】
前記延伸左側板の底端には、大体逆Ｕ字形のスライド溝を有し、前記単板状底板の左端の前記突出板の一側には、前記スライド溝の内壁に摺動可能に嵌合する複数の位置決め柱を有することを特徴とする請求項５に記載の着脱可能な組立式コンピューターエンクロージャー。
【請求項９】
前記延伸左側板の底端には、大体逆Ｕ字形のスライド溝を有し、前記単板状底板の左端の前記突出板の両側にはそれぞれ、前記スライド溝の内壁に摺動可能に嵌合する複数の位置決め柱を有することを特徴とする請求項５に記載の着脱可能な組立式コンピューターエンクロージャー。
【請求項１０】
前記単板状右側板と前記延伸右側板との組立部位には、大体逆Ｕ字形のスライド溝を有し、前記延伸右側板における頂端に隣接する箇所の一側には、前記スライド溝の内壁に摺動可能に嵌合する位置決め突出条部を有することを特徴とする請求項５に記載の着脱可能な組立式コンピューターエンクロージャー。
【請求項１１】
前記単板状右側板と前記延伸右側板との組立部位には、大体逆Ｕ字形のスライド溝を有し、前記延伸右側板における頂端に隣接する箇所の両側にはそれぞれ、前記スライド溝の内壁に摺動可能に嵌合する位置決め突出条部を有することを特徴とする請求項５に記載の着脱可能な組立式コンピューターエンクロージャー。
【請求項１２】
前記延伸右側板の底端には、大体逆Ｕ字形のスライド溝を有し、前記単板状底板の右端の前記突出板の一側には、前記スライド溝の内壁に摺動可能に嵌合する複数の位置決め柱を有することを特徴とする請求項５に記載の着脱可能な組立式コンピューターエンクロージャー。
【請求項１３】
前記延伸右側板の底端には、大体逆Ｕ字形のスライド溝を有し、前記単板状底板の右端の前記突出板の両側にはそれぞれ、前記スライド溝の内壁に摺動可能に嵌合する複数の位置決め柱を有することを特徴とする請求項５に記載の着脱可能な組立式コンピューターエンクロージャー。
【考案の詳細な説明】
【技術分野】
【０００１】
本考案は、コンピューターエンクロージャー（ｃｏｍｐｕｔｅｒ  ｅｎｃｌｏｓｕｒｅ）に関するものであり、特に各部材を単板状に取り外すことができる着脱可能な組立式コンピューターエンクロージャーに関するものである。
【背景技術】
【０００２】
従来のコンピューターエンクロージャー、特に従来の工業用コンピューターエンクロージャーは、その主な構造として、略Ｕ字形を呈するベースの上にホストハードウェア（ｈｏｓｔｈａｒｄｗａｒｅ）及び複数のハードディスクが設置されるようにしている。しかしながら、Ｕ字形を呈するベースは、設置スペースや運送する際の収容スペースが増えると共に、包装材料の体積及び運送コストが増えるという欠点が存在する。
【０００３】
従って、如何にして構造の設計により上述の問題点を改善するかが、重要な課題となる。そこで、本考案の出願人は、上記の問題点を改善するために、鋭意検討を行なった結果、包装材料、運送コスト及び保存スペースを減少させることができ、簡素な構造で着脱自在に組み立てたり取りはずしたりすることができ、組立後の全体強度及び搭載能力を向上させることができる本考案を完成するに至った。
【考案の概要】
【考案が解決しようとする課題】
【０００４】
本考案は、包装材料、運送コスト及び保存スペースを減少させることができ、簡素な構造で着脱自在に組み立てたり取りはずしたりすることができ、組立後に全体強度及び搭載能力を向上させることができるように、各部材を単板状に取り外すことができる着脱可能な組立式コンピューターエンクロージャーを提供することを課題とする。
【課題を解決するための手段】
【０００５】
本考案に係る着脱可能な組立式コンピューターエンクロージャーは、単板状底板、単板状左側板及び単板状右側板を含む。単板状底板の左右両側には単板状底板から略垂直に突出する突出板が設けられる。単板状左側板は、ボルトにより単板状底板の左端の突出板に締め付けられて固定される。単板状右側板は、単板状左側板と対称であり、ボルトにより単板状底板の右端の突出板に締め付けられて固定される。
【考案の効果】
【０００６】
本考案に係る着脱可能な組立式コンピューターエンクロージャーは、各部材が単板状の独立構造であることによって、保存若しくは運送する際のスペースを低減することができ、包装材料の体積、運送コスト及び保存スペースを低減することができる。また、本考案に係る着脱可能な組立式コンピューターエンクロージャーは、単板状底板の左右両端に単板状底板に略垂直に突出する突出板が設けられることによって、単板状左側板及び単板状右側板を複数のボルトで単板状底板の左右両端の突出板に締め付けて固定することができるため、組立後の全体強度及び搭載能力を向上させることができる。
【図面の簡単な説明】
【０００７】
【図１】本考案に係る着脱可能な組立式コンピューターエンクロージャーの立体分解模式図である。
【図２】本考案に係る着脱可能な組立式コンピューターエンクロージャーの立体組立模式図である。
【図３】図２のＡエリアの拡大図である。
【図４】本考案に係る着脱可能な組立式コンピューターエンクロージャーの局部の拡大分解模式図である。
【図５】本考案に係る着脱可能な組立式コンピューターエンクロージャーの第２の実施例の立体組立模式図である。
【図６】図５のＢエリアの拡大図である。
【図７】本考案に係る着脱可能な組立式コンピューターエンクロージャーの第２の実施例の局部の拡大分解模式図である。
【図８】本考案に係る着脱可能な組立式コンピューターエンクロージャーの第３の実施例の立体組立模式図である。
【図９】本考案に係る着脱可能な組立式コンピューターエンクロージャーの第３の実施例の局部の拡大分解模式図である。
【図１０】本考案に係る着脱可能な組立式コンピューターエンクロージャーの第３の実施例の他の角度の局部の拡大分解模式図である。
【図１１】本考案に係る着脱可能な組立式コンピューターエンクロージャーの第４の実施例の立体組立模式図である。
【図１２】本考案に係る着脱可能な組立式コンピューターエンクロージャーの第４の実施例の局部の拡大分解模式図である。
【図１３】本考案に係る着脱可能な組立式コンピューターエンクロージャーの第４の実施例の他の角度の局部の拡大分解模式図である。
【図１４】図１３のＣ−Ｃ断線の断面模式図である。
【図１５】本考案に係る着脱可能な組立式コンピューターエンクロージャーの第５の実施例の立体組立模式図である。
【図１６】本考案に係る着脱可能な組立式コンピューターエンクロージャーの第５の実施例の局部の拡大分解模式図である。
【図１７】本考案に係る着脱可能な組立式コンピューターエンクロージャーの第５の実施例の他の角度の局部の拡大分解模式図である。
【図１８】図１７のＤ−Ｄ断線の断面模式図である。
【考案を実施するための形態】
【０００８】
本考案が所定の目的を達成するために採用する技術、手段及びその効果をさらに詳細的で具体的に説明するために、以下に添付図面を参照して、本考案に関わる詳しい説明を行う。これにより、深く且つ具体的な理解を得られるが、添付図面が参考及び説明のみに使われ、本考案の実用新案登録請求の範囲を狭義的に局限するものではないことは言うまでもないことである。
【０００９】
図１は、本考案に係る着脱可能な組立式コンピューターエンクロージャーの立体分解模式図である。本考案に係る着脱可能な組立式コンピューターエンクロージャーは、任意のコンピューターのエンクロージャーである。好ましくは、本考案に係る着脱可能な組立式コンピューターエンクロージャーは、複数のハードディスクを搭載することができる工業用コンピューターエンクロージャーである。本考案に係る着脱可能な組立式コンピューターエンクロージャーは、単板状底板１、単板状左側板２及び単板状右側板３を含む。本考案に係る着脱可能な組立式コンピューターエンクロージャーは、単板状前側板４及び単板状後側板５を更に含んでもよい。即ち、本考案に係る着脱可能な組立式コンピューターエンクロージャーは、各部材がそれぞれ単板状独立構造である。
【００１０】
図１、図２及び図４をご参照下さい。単板状底板１は主として金属材料で製作されたものである。単板状底板１は、例えば鉄部材であってもよい。単板状左側板２及び単板状右側板３は、それぞれ鉄部材であってもよい。単板状底板１の左右両端には単板状底板１から略垂直に突出する突出板１１が設けられる。好ましくは、これらの突出板１１は、単板状底板１の左右両側を曲折して形成される。単板状左側板２は、ボルト１０によって単板状底板１の左端の突出板１１に締め付けられて固定される。単板状右側板３は、単板状左側板２と対称であり、ボルト１０によって単板状底板１の右端の突出板１１に締め付けられて固定される。また、これらの突出板１１は、複数の位置決め柱１１１をそれぞれ有する。これらの位置決め柱１１１が単板状左側板２及び単板状右側板３にそれぞれ挿入されることによって、単板状左側板２及び単板状右側板３は突出板１１に位置決めされる。更に、ボルト１０によって単板状左側板２及び単板状右側板３は突出板１１に位置決めされて固定される。これにより、組立強度及び搭載能力を一層向上させることができる。
【００１１】
また、単板状前側板４は、ボルト１０によって単板状底板１の前端に締め付けられて固定されると共に、単板状左側板２及び単板状右側板３の間に位置する。単板状後側板５は、ボルト１０によって単板状底板１の後端に締め付けられて固定されると共に、単板状左側板２及び単板状右側板３の間に位置する。
【００１２】
図５乃至図７を参照して、本考案に係る着脱可能な組立式コンピューターエンクロージャーの第２の実施例を説明する。第１の実施例との相違点として、第２の実施例においては、単板状底板１ａと複数の突出板１１ａとの間の曲折部位に、互いに間隔を置いて配列される複数の嵌合溝１１２が設けられる。単板状左側板２ａ及び単板状右側板３ａには、複数の嵌合突出部２０が設けられる。複数の嵌合突出部２０は、複数の嵌合溝１１２に対応する。更に、位置決め柱１１１による位置決め及びボルト１０による螺合固定によって、本考案に係る着脱可能な組立式コンピューターエンクロージャー全体の安定性を一層向上させることができる。また、本実施例において、嵌合溝１１２は、矩形、弧形、瓢箪形などの形状であってもよいが、これらに限定されるものではない。
【００１３】
図８乃至図１０を参照して、本考案に係る着脱可能な組立式コンピューターエンクロージャーの第３の実施例を説明する。第１の実施例との相違点として、第３の実施例においては、単板状左側板２ｂ及び単板状右側板３ｂが、例えばアルミニウム成形されたものであってもよい。また、単板状左側板２ｂ及び単板状右側板３ｂは、その高さが２Ｕ〜４Ｕ（１Ｕ＝４４．４５ｍｍ）の標準高さであるため、ボルト１０によって単板状底板１ｂの突出板１１ｂに直接に締め付けられて固定されることができる。これにより、着脱可能な組立式コンピューターエンクロージャーは、２Ｕ〜４Ｕの標準高さを呈することができる。また、本実施例において、単板状左側板２ｂは、延伸左側板２１ｂを更に含む。単板状右側板３ｂは、延伸左側板２１ｂに対称である延伸右側板３１ｂを更に含む。延伸左側板２１ｂ及び延伸右側板３１ｂの高さは３Ｕ〜４Ｕである。延伸左側板２１ｂは、単板状左側板２ｂに組み立てられ、単板状固定構造となるようにボルト１０によって相互に螺合固定されてから、ボルト１０によって単板状底板１ｂの突出板１１ｂに締め付けられて固定される。同様に、延伸右側板３１ｂは、単板状右側板３ｂに組み立てられ、単板状固定構造となるようにボルト１０によって相互に螺合固定されてから、ボルト１０によって単板状底板１ｂの突出板１１ｂに締め付けられて固定される。これにより、着脱可能な組立式コンピューターエンクロージャーは、設計ニーズに応じて５Ｕ以上の高さに達することができる。
【００１４】
図１１乃至図１４を参照して、本考案に係る着脱可能な組立式コンピューターエンクロージャーの第４の実施例を説明する。第４の実施例において、単板状左側板２ｃ及び延伸左側板２１ｃは単板状右側板３ｃ及び延伸右側板３１ｃに対称であるため、以下、単板状右側板３ｃ及び延伸右側板３１ｃを例として説明する。第３の実施例との相違点として、第４の実施例においては、単板状右側板３ｃと延伸右側板３１ｃとの組立部位に、大体逆Ｕ字形のスライド溝３０を有する。延伸右側板３１ｃにおける頂端に隣接する箇所の一側にはスライド溝３０の内壁に摺動可能に嵌合する位置決め突出条部１１１ａを有する。更に、ボルト１０によって単板状右側板３ｃ及び延伸右側板３１ｃは相互に締め付けられて固定されることによって単板状固定構造となる。また、延伸右側板３１ｃの底端は、大体逆Ｕ字形のスライド溝３０（図１４を参照）を有する。単板状底板１ｃの突出板１１ｃの一側は、スライド溝３０の内壁に摺動可能に嵌合する複数の位置決め柱１１１を有する。更に、延伸右側板３１ｃの底端及び単板状底板１ｃの突出板１１ｃを相互に締め付けて固定することによって、着脱可能な組立式コンピューターエンクロージャーの高さを変えることができると共に、組立強度及び搭載能力を向上させることができる。また、上述した位置決め突出条部１１１ａの位置は、設計ニーズに応じて複数の位置決め柱１１１の位置と交換してもよい。即ち、スライド溝３０の内壁に摺動可能に嵌合するように、延伸右側板３１ｃの一側には複数の位置決め柱１１１が設けられ、突出板１１ｃの一側には位置決め突出条部１１１ａが設けられるようにしてもよい。
【００１５】
図１５乃至図１８を参照して、本考案に係る着脱可能な組立式コンピューターエンクロージャーの第５の実施例を説明する。第５の実施例において、単板状左側板２ｄ及び延伸左側板２１ｄは単板状右側板３ｄ及び延伸右側板３１ｄに対称であるため、以下、単板状右側板３ｄ及び延伸右側板３１ｄを例として説明する。第４の実施例との相違点として、第５の実施例においては、延伸右側板３１ｄにおける頂端に隣接する箇所の両側にそれぞれ、スライド溝３０ａの内壁に摺動可能に嵌合する位置決め突出条部１１１ａを有する。即ち、延伸右側板３１ｃの両側には位置決め突出条部１１１ａがそれぞれ設けられる。また、単板状底板１ｄの突出板１１ｄの両側にそれぞれ、スライド溝３０ａの内壁に摺動可能に嵌合する複数の位置決め柱１１１を有する。言い換えれば、延伸右側板３１ｃの両側にそれぞれ設けられる複数の突出条部１１１ａ及び突出板１１ｃの両側にそれぞれ設けられる位置決め柱１１１によって、スライド溝３０ａの内壁に一層安定して嵌合させることができると共に、組立強度及び搭載能力を一層向上させることができる。また、上述した位置決め突出条部１１１ａの位置は、設計ニーズに応じて複数の位置決め柱１１１の位置と交換してもよい。即ち、スライド溝３０の内壁に摺動可能に嵌合するように、延伸右側板３１ｄの両側には複数の位置決め柱１１１が設けられ、突出板１１ｄの両側には位置決め突出条部１１１ａが設けられるようにしてもよい。
【００１６】
上述したように、本考案に係る着脱可能な組立式コンピューターエンクロージャーにおいて、各部材が単板状の独立構造であることによって、保存若しくは運送する際のスペースを低減することができ、包装材料の体積、運送コスト及び保存スペースを有効に低減することができる。また、本考案に係る着脱可能な組立式コンピューターエンクロージャーにおいて、単板状底板の左右両端に単板状底板から略垂直に突出する突出板が設けられることによって、単板状左側板及び単板状右側板が複数のボルトで単板状底板の左右両端の突出板に締め付けられて固定されることができるため、組立後の全体強度及び搭載能力を向上させることができる。更に、本考案に係る着脱可能な組立式コンピューターエンクロージャーにおいて、延伸左側板及び延伸右側板によって、設計ニーズに応じて高さを変えることができる。また、延伸左側板の両側及び延伸右側板の両側にはスライド溝の内壁に摺動可能に嵌合する位置決め突出条部がそれぞれ設けられ、突出板の両側にはスライド溝の内壁に摺動可能に嵌合する複数の位置決め柱が設けられると共に、ボルトによる螺合固定によって、組立後の全体強度及び搭載能力を大幅に向上させることができるため、より多い、より重いハードディスクを搭載することができる。
【００１７】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００１８】
１、１ａ、１ｂ、１ｃ、１ｄ  単板状底板
１１、１１ａ、１１ｂ、１１ｃ、１１ｄ  突出板
１１１  位置決め柱
１１１ａ  位置決め突出条部
１１２  嵌合溝
２、２ａ、２ｂ、２ｃ、２ｄ  単板状左側板
３、３ａ、３ｂ、３ｃ、３ｄ  単板状右側板
２１ｂ、２１ｃ、２１ｄ  延伸左側板
３１ｂ、３１ｃ、３１ｄ  延伸右側板
４  単板状前側板
５  単板状後側板
１０  ボルト
２０  嵌合突出部
３０、３０ａ  スライド溝
【図１】
0003186514.tif 000003
【図２】
0003186514.tif 000004
【図３】
0003186514.tif 000005
【図４】
0003186514.tif 000006
【図５】
0003186514.tif 000007
【図６】
0003186514.tif 000008
【図７】
0003186514.tif 000009
【図８】
0003186514.tif 000010
【図９】
0003186514.tif 000011
【図１０】
0003186514.tif 000012
【図１１】
0003186514.tif 000013
【図１２】
0003186514.tif 000014
【図１３】
0003186514.tif 000015
【図１４】
0003186514.tif 000016
【図１５】
0003186514.tif 000017
【図１６】
0003186514.tif 000018
【図１７】
0003186514.tif 000019
【図１８】
0003186514.tif 000020